(57)【要約】【課題】部品数が少なく、安価で、綴じ具と表紙とを容易に脱着することが可能なファイル用綴じ具を提供することを課題とする。【解決手段】ファイル用綴じ具１であって、ファイル３の表紙２に接する基材本体７と、基材本体７に突起状の被嵌合体８とを有する基材５と、書類を綴じる綴じ具本体４であって、貫通孔９と、貫通孔９の縁に設けられた切り欠き状の嵌合部１２であって貫通孔９に被嵌合体８が挿通された状態において貫通孔９の位置が被嵌合体８に対して嵌合方向にスライドされると被嵌合体８が嵌合する嵌合部１２とを有する綴じ具本体４と、嵌合状態にある嵌合部１２が嵌合方向と反対の引抜方向へスライドするのを止める係止部１３を有する係止部材６と、を備える。【選択図】図１
2007331208.tif 000002
【特許請求の範囲】
【請求項１】
ファイルの表紙に接する基材本体と、該基材本体に突起状の被嵌合体とを有する基材と、
書類を綴じる綴じ具本体であって、貫通孔と、該貫通孔の縁に設けられた切り欠き状の嵌合部であって該貫通孔に前記被嵌合体が挿通された状態において該貫通孔の位置が該被嵌合体に対して嵌合方向にスライドされると該被嵌合体が嵌合する嵌合部とを有する綴じ具本体と、
嵌合状態にある前記嵌合部が前記嵌合方向と反対の引抜方向へスライドするのを止める係止部を有する係止部材と、を備える、
ファイル用綴じ具。
【請求項２】
前記嵌合部は、スリット形状の切り欠きからなる、
請求項１に記載のファイル用綴じ具。
【請求項３】
前記係止部は、前記ファイルの表紙と前記綴じ具本体とに交差するように嵌められることで前記引抜方向へのスライドを止める、
請求項１又は２に記載のファイル用綴じ具。
【発明の詳細な説明】
【技術分野】
【０００１】
本発明は、ファイル用綴じ具に関する。
【背景技術】
【０００２】
書類等を綴じるファイルは、金属等からなる綴じ具を紙やプラスチック等からなる表紙に取り付けた構造を有する。綴じ具は、リベット等を用いて表紙に固定する方法が一般的である。
【０００３】
近年、地球環境問題への関心の高まりを受け、工業製品は資源を有効にリサイクルするため容易に分別廃棄が可能であることが求められている。ファイルに関しては、材質の異なる綴じ具と表紙とを分別廃棄することが可能であることが求められる。また、分別廃棄のみならず、使用可能な綴じ具と表紙とを組み合わせることで部品を再利用することが可能なことも求められる。このため、リベット等を用いた固定方法に代わり、基材とくさび部材とを組み合わせることで綴じ具と表紙とを脱着することが可能な固定方法が開発されている（例えば特許文献１）。
【特許文献１】特許第３４２１９１３号公報
【発明の開示】
【発明が解決しようとする課題】
【０００４】
しかしながら、基材とくさび部材とを組み合わせることで綴じ具と表紙とを固定する方法によれば、くさび部材を複数個嵌合する必要があり、部品数が多かった。このため、綴じ具を表紙に固定する際の作業量が多く、コストアップにつながるという問題があった。
【０００５】
そこで本発明は、部品数が少なく、安価で、綴じ具と表紙とを容易に脱着することが可能なファイル用綴じ具を提供することを課題とする。
【課題を解決するための手段】
【０００６】
本発明は、上述の課題を解決するため、ファイル用綴じ具であって、綴じ具本体の貫通孔の縁に設けられた切り欠き状の嵌合部を突起状の被嵌合体に嵌合方向にスライドさせて嵌合させ、係止部材の係止部で嵌合部が引抜方向にスライドするのを止めることとした。
【０００７】
詳細には、本発明は、ファイル用綴じ具であって、ファイルの表紙に接する基材本体と、基材本体に突起状の被嵌合体とを有する基材と、書類を綴じる綴じ具本体であって、貫通孔と、貫通孔の縁に設けられた切り欠き状の嵌合部であって貫通孔に被嵌合体が挿通された状態において貫通孔の位置が被嵌合体に対して嵌合方向にスライドされると被嵌合体が嵌合する嵌合部とを有する綴じ具本体と、嵌合状態にある嵌合部が嵌合方向と反対の引抜方向へスライドするのを止める係止部を有する係止部材と、を備える。
【０００８】
上述のファイル用綴じ具は、基材と綴じ具本体と係止部材とを主要な構成要素としている。基材は、ファイルの表紙に接する基材本体に突起状の被嵌合体を有している。被嵌合体は、基材本体と綴じ具との間に表紙を挟むようにして綴じ具本体の貫通孔に挿通される。このため、被嵌合体は、基材本体から少なくとも表紙の厚さ以上の高さを有していることが望ましい。被嵌合体は、例えば、断面視Ｔ字形、逆Ｌ字形、冂字形等の嵌合構造を用いることが可能である。なお、基材本体が接する部分は、ファイルの背表紙部分に限られるものでなく、裏表紙や表表紙であってもよい。また、綴じ具本体の貫通孔と対応する孔を表紙に設け、被嵌合体が表紙の孔と綴じ具の貫通孔とに挿通されるようにしてもよい。
【０００９】
書類を綴じる綴じ具本体は、突起状の被嵌合体を挿通するための貫通孔を有する。貫通孔は、少なくとも被嵌合体を挿通することが可能な大きさにする。貫通孔の縁には、切り欠きからなる嵌合部を設ける。嵌合部は、嵌合方向に動かされると被嵌合体に嵌合し得る外形にする。嵌合方向とは、嵌合部がスライドする方向であり、例えば、嵌合部が被嵌合体に嵌合する方向である。また、嵌合部がスライドする方向とは、例えば、綴じ具本体が表紙に接しながら横滑りする方向である。なお、綴じ具本体が綴じる対象物は書類に限られず、例えば、名刺や写真を入れるクリアーフォルダ等、ファイリングの対象となり得るものであれば何でもよい。
【００１０】
係止部材は、係止部を有する。係止部は、嵌合状態にある嵌合部が嵌合方向と反対の引抜方向にスライドするのを止める役割を果たす。よって、係止部は、綴じ具本体が引抜方向にスライドした際に綴じ具本体に接触し、綴じ具本体のスライドを阻止するように配置する。なお、係止部材はファイル本体から脱落しないようにしている。
【００１１】
ファイル用綴じ具を表紙に固定する際は、基材本体と綴じ具本体との間に表紙を挟むようにしながら基材本体に突起状に設けられている被嵌合体を綴じ具本体の貫通孔に挿通し、綴じ具本体を嵌合方向にスライドさせて貫通孔の縁に設けられている嵌合部を被嵌合体に嵌合する。これにより、綴じ具本体が引抜方向にスライドされて嵌合部が被嵌合体から引抜かれない限り、綴じ具本体がファイルの表紙に固定された状態になる。綴じ具本体をスライドさせることで嵌合部が被嵌合体に嵌合するようにしているため、例えば、嵌合部と被嵌合体とで構成される一対の嵌合構造を多数設けても、嵌合方向さえ同一方向に揃えておけば一度のスライド操作で同時に嵌合させることが可能になる。次に、嵌合部が被嵌合体と嵌合した状態、換言すると、綴じ具本体がファイルの表紙に固定された状態において係止部材の係止部を嵌めると、綴じ具本体の引抜方向へのスライドが止められる。係止部は、綴じ具本体が引抜方向にスライドするのを止める役割さえ果たせば良い。綴じ具本体の引抜方向へのスライドを止める方法として、具体的には、例えば、綴じ具本体と表紙とを貫通する孔に係止部を挿通したり、或いは綴じ具本体と表紙との間に係止部を挟むことで綴じ具本体のスライドを係止したりすればよい。以上により、本発明に係るファイル用綴じ具が表紙に固定される。なお、嵌合部と被嵌合体とが互いに押圧するようにすれば摩擦による保持力が生じるため、綴じ具本体が容易に引抜方向にスライドしないようにすることも可能である。
【００１２】
一方、ファイル用綴じ具を表紙から分離する場合は、係止部材の係止部を外した後に綴じ具本体を引抜方向にスライドさせる。綴じ具本体が引抜方向にスライドされることで被嵌合体に嵌合している嵌合部が引抜かれる。これにより、綴じ具本体と表紙との固定状態が解除され、両者を分離することが可能になる。
【００１３】
以上、本発明に係るファイル用綴じ具によれば、綴じ具本体を嵌合方向にスライドさせてから係止部材を嵌めるだけで綴じ具本体がファイルの表紙に固定されるため、部品数が少なく、安価で、綴じ具と表紙とを容易に脱着することが可能となる。
【００１４】
ここで、上述のファイル用綴じ具において、嵌合部は、スリット形状の切り欠きからなるようにしてもよい。
【００１５】
貫通孔の縁に、スリット形状の切り欠きを設けることで嵌合部を形成する。具体的には、例えば、被嵌合体が断面視Ｔ字形や逆Ｌ字形をなす形状であれば貫通孔の縁に１本のスリットからなる嵌合部を設ける。スリットに被嵌合体の縦棒部分が挟まるようにすることで、被嵌合体に嵌合部を嵌合することが可能になる。また、被嵌合体が断面視冂字形をなす形状であれば貫通孔の縁に２本のスリットからなる嵌合部を設ければよい。２本のスリットに２本の縦棒がそれぞれ挟まるようにすることで、被嵌合体に嵌合部を嵌合すること
が可能になる。
【００１６】
ここで、上述のファイル用綴じ具において、係止部は、ファイルの表紙と綴じ具本体とに交差するように嵌められることで引抜方向へのスライドを止めるようにしてもよい。
【００１７】
係止部材の係止部が、ファイルの表紙と綴じ具本体とに交差するように嵌められることで、綴じ具本体の引抜方向へのスライドが止められる。係止部をファイルの表紙と綴じ具本体とに交差させるように嵌める方法として、具体的には、例えば、綴じ具本体と表紙とを貫通する孔を設けて係止部を差し込んだり、表紙に孔を設け、係止部材が綴じ具本体の端に接するように係止部を孔に差し込む方法が考えられる。係止部がファイルの表紙と綴じ具本体とに交差するように嵌ることで綴じ具本体のスライド方向の動きが制限され、嵌合部が被嵌合体から引き抜かれるのを止めることが可能になる。
【発明の効果】
【００１８】
本発明によれば、部品数が少なく、安価で、綴じ具と表紙とを容易に脱着することが可能なファイル用綴じ具を提供することが可能になる。
【発明を実施するための最良の形態】
【００１９】
以下、本発明を実施するための最良の形態を例示的に説明する。以下に示す実施形態は例示であり、本発明はこれらに限定されない。
【実施例１】
【００２０】
図１は、本発明の一実施形態（以下、実施形態１という）に係るファイル用綴じ具１が表紙２に固定されたファイル３の斜視図である。なお、本実施形態においては、パイプ式の綴じ具本体４が表紙２に固定されている。しかし、本発明に係るファイル用綴じ具１の綴じ具本体４は、パイプ式のみならずリング式等であってもよい。また、綴じ具本体４は、表紙２の背表紙の部分のみならず、裏表紙の部分に固定してもよい。
【００２１】
図１に示すように、本実施形態に係るファイル用綴じ具１は、基材５、綴じ具本体４、及び係止部材６とにより構成される。図２は基材５の斜視図を、図３は基材５の正面図を、図４は基材５の上面図をそれぞれ示す。図２、３、４において示すように、基材５は、基材本体７と、基材本体７に突起状の被嵌合体８とを有している。
【００２２】
基材本体７は、図１において示すように、ファイル３の外側に位置することになる。このため、基材本体７が大きすぎるとファイル３を書架に並べた際に見栄えが悪く、背見出し等で覆い隠すことが困難になる。このような理由から、基材本体７は図２、３において示すように薄い板状にすることが好ましい。
【００２３】
被嵌合体８は、基材本体７から突起状に配設されており、綴じ具本体４を把持するため縦断面視Ｔ字状をなしている。被嵌合体８のＴ字横棒部分と基材本体７との間に表紙２と綴じ具本体４が挟まるようにするため、被嵌合体８の高さは、綴じ具本体４の座金と表紙２とを重ね合わせた厚さよりも高くする。基材５は、プラスチックを金型に射出等することにより形成する。
【００２４】
図５は、綴じ具本体４の斜視図を、図６は綴じ具本体４の上面図をそれぞれ示す。図５、６において示すように、綴じ具本体４は、表紙２と接する基板１１に貫通孔９と、貫通孔９の縁に嵌合部１２とを有している。また、係止部材６を嵌めるための切り欠き１７と端部１８とを有している。貫通孔９は、被嵌合体８を挿通することが可能な形状と大きさを有している。また、嵌合部１２は、貫通孔９の縁をスリット状に切り取った切り欠きによって形成されており、被嵌合体８のＴ字縦棒部分が入るように形成されている。なお、
本実施形態では、貫通孔９と嵌合部１２とで構成される嵌合構造が４箇所設けられている。これら４つの嵌合部１２は、それぞれ同一のスリット方向を向くように形成する。同一の方向を向くようにすることで、綴じ具本体４をスライドさせることが可能になるからである。また、本実施形態では、書類の重量によって加わる係止部材６への加重を考慮し、嵌合部１２のスリット方向が貫通孔９の縁からファイル３の上方向になるように形成する。これにより、ファイル３を逆さまにしなければ書類の加重が係止部材６に加わらないため、係止部材６の破損を防止できる。但し、嵌合部１２のスリット方向は単なる設計事項に過ぎない。即ち、如何なる方向に嵌合部１２のスリットを形成しても本発明の目的を達成することが可能であることはいうまでもない。なお、嵌合部１２はスリット形状のみならず、例えば、くさび形に形成してもよいし半円状に形成してもよい。また、貫通孔９と嵌合部１２とで構成される嵌合構造は、本実施形態に係るファイル用綴じ具１のように４箇所設けられたものに限られない。
【００２５】
図７は、係止部材６の斜視図を、図８は係止部材６の右側面図を、図９は係止部材６の正面図をそれぞれ示す。図７、８、９において示すように、係止部材６は、係止部１３と操作部１４とを有している。係止部１３は、嵌合部１２が被嵌合体８に嵌合された状態において、嵌合部１２が引抜方向にスライドするのを止める役割を果たす。なお、係止部材６は、基材５と同様プラスチックを金型に射出等することにより形成する。
【００２６】
次に、ファイル用綴じ具１を表紙２に固定する方法を説明する。基材５を表紙２の背表紙の表面に、被嵌合体８が貫通孔１０に挿通されるように配置する。これにより、被嵌合体８が、表紙２の背表紙の裏面に突出した状態になる。次に、綴じ具本体４を表紙２の背表紙の裏面に、貫通孔９の位置が貫通孔１０に重なるように配置する。これにより、被嵌合体８が貫通孔９に挿通された状態になる。次に、綴じ具本体４を嵌合方向にスライドさせる。綴じ具本体４を嵌合方向にスライドさせることにより、嵌合部１２が被嵌合体８に嵌合される。これにより、綴じ具本体４が引抜方向にスライドされない限り、綴じ具本体４は表紙２に固定された状態になる。次に、係止部材６の係止部１３を切り欠き１７を通して貫通孔１５に嵌める。係止部１３が貫通孔１５に嵌められることにより綴じ具本体４の端部１８が係止部１３に接触し、綴じ具本体４の引抜方向へのスライドが阻止される。これにより、綴じ具本体４が表紙２に完全に固定された状態になる。図１１において、ファイル用綴じ具１が表紙２に固定された状態におけるＡ−Ａ断面図を示す。図１１において示すように、ファイル用綴じ具１は、綴じ具本体４と基材本体７との間に表紙２を挟むことにより固定されることになる。図１２において、ファイル用綴じ具１が表紙２に固定された状態におけるＢ−Ｂ断面図を示す。係止部１３が表紙２の貫通孔１５に嵌められることにより、綴じ具本体４の引抜方向（図の右方向）へのスライドが阻止されることが判る。
【００２７】
なお、本実施形態において、嵌合方向とはファイル３の下方向を示している。このように、嵌合方向をファイル３の下方向となるようにしておけば、万一係止部材６が脱落しても書類の加重によって綴じ具本体４は嵌合方向に加重するため、綴じ具本体４が脱落しにくい。また、引抜方向とは嵌合方向の反対方向であり、本実施形態においてはファイル３の上方向を示している。
【００２８】
本実施形態に係るファイル用綴じ具１によれば、複数の嵌合構造を有していても綴じ具本体４をスライドさせてから係止部材６を嵌めればよいため、綴じ具本体４を表紙２に簡単に固定することが可能になる。また、綴じ具本体４と表紙２とを分離する際は、上述した固定方法を逆順に行えばよいため、綴じ具本体４と表紙２とを簡単に分離することが可能になる。また、係るファイル用綴じ具１は、脱着機構に多大な空間を必要としないため、書類等の綴じ代の大きさをほとんど制約することなく、綴じ具２を表紙３に脱着容易に固定することが可能になる。また、嵌合部１２をくさび形状に形成することにより被嵌合
体８が挟まれて押圧されるようにすれば、係止部材６を嵌めなくても綴じ具本体４を表紙２に仮止めすることが可能である。
【００２９】
なお、本実施形態においては射出形成されたプラスチックからなる基材５を用いるが、本発明はこれに限られない。図１３は変形例に係る基材５の斜視図、図１４は正面図、図１５は上面図をそれぞれ示す。図１３から１５の変形例が示すように、板金をプレス加工することで基材５を形成することも可能である。金属製の基材５であればプラスチック製よりも強度が高いし、脱着機構が占有する空間をより小さくすることも可能になる。
【実施例２】
【００３０】
以下、上述した実施形態１の変形例（以下、実施形態２という）について説明する。なお、説明の便宜上、実施形態１との相違点のみについて説明する。また、実施形態１と同様の構成要素については同一の符号を用いて説明する。
【００３１】
実施形態２に係るファイル用綴じ具１は、図１６において示すように、被嵌合体１６が断面視冂字形に形成されている。図１７は本実施形態に係る基材５の斜視図を、図１８は正面図を、図１９は上面図を示す。また、図２０、及び２１において示すように、係る基材５に対応する綴じ具本体４の貫通孔９の縁には、平行な２本のスリットからなる嵌合部１２が設けられる。図２２は、実施形態２に係るファイル用綴じ具１が表紙２に固定された場合のファイル３のＣ−Ｃ断面図を示す。図において示すように、断面視冂字形の被嵌合体１６が、平行な２本のスリットからなる嵌合部１２に嵌合していることが判る。これにより、基材本体７と綴じ具本体４との間に表紙２が挟まれ、ファイル用綴じ具１が固定されることになる。
【００３２】
なお、本実施形態においては射出形成されたプラスチックからなる基材５を用いるが、本発明はこれに限られない。図２３は変形例に係る基材５の斜視図、図２４は正面図、図２５は上面図をそれぞれ示す。図２３から２５の変形例が示すように、板金をプレス加工することで断面視冂字形の被嵌合体１６を有する基材５を形成することも可能である。実施形態１に係る基材５と同様、金属製の方がプラスチック製よりも強度が高いし、脱着機構が占有する空間をより小さくすることも可能になる。
【図面の簡単な説明】
【００３３】
【図１】実施形態１に係るファイル３の斜視図。
【図２】実施形態１に係る基材５の斜視図。
【図３】実施形態１に係る基材５の正面図。
【図４】実施形態１に係る基材５の上面図。
【図５】実施形態１に係る綴じ具本体４の斜視図。
【図６】実施形態１に係る綴じ具本体４の上面図。
【図７】実施形態１に係る係止部材６の斜視図。
【図８】実施形態１に係る係止部材６の右側面図。
【図９】実施形態１に係る係止部材６の正面図。
【図１０】実施形態１に係るファイル用綴じ具１の固定方法を示す斜視図。
【図１１】実施形態１に係るファイル３のＡ−Ａ断面図。
【図１２】実施形態１に係るファイル３のＢ−Ｂ断面図。
【図１３】実施形態１に係る基材５の変形例の斜視図。
【図１４】実施形態１に係る基材５の変形例の正面図。
【図１５】実施形態１に係る基材５の変形例の上面図。
【図１６】実施形態２に係るファイル３の斜視図。
【図１７】実施形態２に係る基材５の斜視図。
【図１８】実施形態２に係る基材５の正面図。
【図１９】実施形態２に係る基材５の上面図。
【図２０】実施形態２に係る綴じ具本体４の斜視図。
【図２１】実施形態２に係る綴じ具本体４の上面図。
【図２２】実施形態２に係るファイル３のＣ−Ｃ断面図。
【図２３】実施形態２に係る基材５の変形例の斜視図。
【図２４】実施形態２に係る基材５の変形例の正面図。
【図２５】実施形態２に係る基材５の変形例の上面図。
【符号の説明】
【００３４】
１・・・・・・・・・・・・・・ファイル用綴じ具
２・・・・・・・・・・・・・・表紙
３・・・・・・・・・・・・・・ファイル
４・・・・・・・・・・・・・・綴じ具本体
５・・・・・・・・・・・・・・基材
６・・・・・・・・・・・・・・係止部材
７・・・・・・・・・・・・・・基材本体
８、１６・・・・・・・・・・・被嵌合体
９、１０、１５・・・・・・・・貫通孔
１１・・・・・・・・・・・・・基板
１２・・・・・・・・・・・・・嵌合部
１３・・・・・・・・・・・・・係止部
１４・・・・・・・・・・・・・操作部
１７・・・・・・・・・・・・・切り欠き
１８・・・・・・・・・・・・・端部
【図１】
2007331208.tif 000003
【図２】
2007331208.tif 000004
【図３】
2007331208.tif 000005
【図４】
2007331208.tif 000006
【図５】
2007331208.tif 000007
【図６】
2007331208.tif 000008
【図７】
2007331208.tif 000009
【図８】
2007331208.tif 000010
【図９】
2007331208.tif 000011
【図１０】
2007331208.tif 000012
【図１１】
2007331208.tif 000013
【図１２】
2007331208.tif 000014
【図１３】
2007331208.tif 000015
【図１４】
2007331208.tif 000016
【図１５】
2007331208.tif 000017
【図１６】
2007331208.tif 000018
【図１７】
2007331208.tif 000019
【図１８】
2007331208.tif 000020
【図１９】
2007331208.tif 000021
【図２０】
2007331208.tif 000022
【図２１】
2007331208.tif 000023
【図２２】
2007331208.tif 000024
【図２３】
2007331208.tif 000025
【図２４】
2007331208.tif 000026
【図２５】
2007331208.tif 000027